(57)【特許請求の範囲】
【請求項１】
光源が発する光を複数の導光部材により導光し、上記導光部材の光出射面から光を出射することで、被照射体領域にある被照射体に光を照射する照明装置であって、
上記導光部材は、上記被照射体領域を形成するように屈曲した形状を有し、上記光出射面の少なくとも一部が、上記被照射体領域の上方に配されるように設けられており、
隣り合う少なくとも１組の上記導光部材が、互いに間隔を有して設けられていることにより、導光部材の間に開口部を形成し、
上記導光部材の一方の端部が接続される第１の保持部材と、
上記導光部材の他方の端部が接続される第２の保持部材と有しており、
上記第１の保持部材と、上記第２の保持部材とは、上記被照射体領域に関して互いに反対側に設けられ、
上記導光部材の一方の端部は、上記第１の保持部材に着脱可能なように接続されており、
上記導光部材の他方の端部は、上記第２の保持部材の延伸方向を軸として回転可能なように、上記第２の保持部材に接続されていることを特徴とする照明装置。
【請求項２】
光源が発する光を複数の導光部材により導光し、上記導光部材の光出射面から光を出射することで、被照射体領域にある被照射体に光を照射する照明装置であって、
上記導光部材は、上記被照射体領域を形成するように屈曲した形状を有し、上記光出射面の少なくとも一部が、上記被照射体領域の上方に配されるように設けられており、
隣り合う少なくとも１組の上記導光部材が、互いに間隔を有して設けられていることにより、導光部材の間に開口部を形成し、
上記導光部材の一方の端部が接続される第１の保持部材と、
上記導光部材の他方の端部が接続される第２の保持部材と有しており、
上記第１の保持部材と、上記第２の保持部材とは、上記被照射体領域に関して互いに反対側に設けられ、
上記導光部材の一方の端部は、上記第１の保持部材に第１接続部を介して接続されており、
上記導光部材の他方の端部は、上記第２の保持部材に第２接続部を介して接続されており、
上記導光部材は、上記第１接続部と上記第２接続部とを結ぶ直線を回転軸として回転可能に設けられていることを特徴とする照明装置。
【請求項３】
上記開口部の、大きさまたは被照射体に対する位置を変化させることができることを特徴とする請求項１または２に記載の照明装置。
【請求項４】
上記開口部の大きさは、上記導光部材の一方の端部に近いほど大きいことを特徴とする請求項１〜３の何れか１項に記載の照明装置。
【請求項５】
上記開口部の大きさは、上記導光部材の一方の端部に近いほど大きく、他方の端部に近いほど小さいことを特徴とする請求項１〜３の何れか１項に記載の照明装置。
【請求項６】
上記導光部材の有する面のうち、上記光出射面に対向する面には光を反射する反射部材が設けられていることを特徴とする請求項１〜５の何れか１項に記載の照明装置。
【請求項７】
上記反射部材は、上記開口部の一部に重なるように設けられていることを特徴とする請求項６に記載の照明装置。
【発明の詳細な説明】
【技術分野】
【０００１】
本発明は、主に植物に対して光を照射するための照明装置に関する。
【背景技術】
【０００２】
従来、蛍光灯やＬＥＤからの光を植物に照射し、人工的に植物を育成するための植物工場が広く利用されている。
【０００３】
植物工場は複数の植物育成棚を備えており、各植物育成棚に植物を配置する。図１３は、従来の一般的な植物育成棚７００の概略図である。図１３に示すように、植物７０１の葉の表面に光をあてて光合成を促すために、植物７０１の上方に光源７０２を設け、植物７０１に対して光源からの光を照射するものが一般的である。
【０００４】
このように、従来の一般的な植物育成棚では、植物の上方に光源を設けるものが主流であり、上方から植物の葉に対して一方向からのみ光を照射するものである。
【０００５】
しかしながら、植物に対して多方向から光を照射することが植物の育成には好ましく、植物育成棚または照明装置の改良が検討されている。
【０００６】
図１４は、特許文献１に記載される植物育成用設備７０３の模式的構造図である。図１４に示す植物育成用設備７０３は、透明板と半導体レーザーを有する植物育成用照明装置７０６を備えている。植物育成用設備７０３は、図１４に示すような形状の天板７０４を植物７０５の上方に有し、天板７０４に植物育成用照明装置７０６を設けることで、植物７０５に対して光を照射することが記載されている。さらに、他の具体例として、透明板をドーム型やかまぼこ型の形状とすることが記載されている。
【０００７】
また、図１５は、特許文献２に記載される導光機能付き観賞用カバーケース７０７の説明図である。図１５（ａ）に示す導光機能付き観賞用カバーケース７０７は、ガラスや樹脂等の透明材料で一体形成されている。図１５（ｂ）に示すように、カバーケース７０７で植物７０８を覆うことで、図示しない光源からの光がカバーケース７０７の側壁を導光され、植物７０８に照射される。
【０００８】
特許文献３には、特許文献２の導光機能付き観賞用カバーケース７０７と同様に、植物を透明壁で覆い、植物に対して全方向から光を照射する展示ケースが記載されている。
【０００９】
ところで、植物工場においては、果実を収穫したり、植物を受粉させたりなど、植物に直接触れて行なう作業が必要となる場合がある。
【００１０】
特許文献２の導光機能付き観賞用カバーケース７０７および特許文献３の展示ケースは、植物をカバーケース等で完全に覆う構造であり、植物に対して行なう直接的な作業の妨げとなり作業性が低い、という問題がある。
【００１１】
また、特許文献２の導光機能付き観賞用カバーケース７０７は、その構造上、図１５（ａ）に示す先端面７１４が局所的な光源となる構造であり、植物に対して全体に満遍なく光をあてることができない。
【００１２】
ここで、特許文献４の植物育成用照明装置によれば、上記の問題を軽減することができる。図１６は、特許文献４に記載される植物育成用照明装置を模式的に表した図である。図１６に示すように、円柱状の導光体７０９を略円状に配置し、円の略中央に植物組織が植え込まれた培養用容器７１０を配置し、導光板７０９の端面にＬＥＤ７１１を配置し、ＬＥＤ７１１の光エネルギーを培養用容器７１０に供給するものである。特許文献４には、他の実施例として、図１７に示すように円筒形状の導光板７１２の一部を切り取って開口部とすることで、開口部を通して培養用容器内の組織培養７１３の様子を観察できることが記載されている。
【先行技術文献】
【特許文献】
【００１３】
【特許文献１】特開２００７−２５９７９６号公報（２００７年１０月１１日公開）
【特許文献２】特開２０１０−２０７１８８号公報（２０１０年  ９月２４日公開）
【特許文献３】特開２００６−１６７４３９号公報（２００６年  ６月２９日公開）
【特許文献４】特開２００５−１７６６９０号公報（２００５年  ７月  ７日公開）
【発明の概要】
【発明が解決しようとする課題】
【００１４】
しかしながら、図１７に示す植物育成用照明装置では、植物の上方から光を照射することができないという問題がある。図１７に示す植物育成用照明装置において、植物の上方から光を照射するために植物の上方にさらに光源を設ける構成とすると、多くの光源が必要となり、光を効率的に植物に照射するものとはいえない。
【００１５】
また、この場合、導光板のうち植物の側方部に１つの開口部が設けられているのみであり、通気性が悪い。
【００１６】
本発明は、上記の課題を解決するためになされたものであり、その目的は、通気性と植物への光照射の効率性とを高めた照明装置を提供することにある。
【課題を解決するための手段】
【００１７】
上記の課題を解決するために、本発明の照明装置は、光源が発する光を導光部材により導光し、上記導光部材の光出射面から光を出射することで、被照射体領域にある被照射体に光を照射する照明装置であって、上記導光部材は、上記被照射体領域を形成するように屈曲した形状を有し、上記光出射面の少なくとも一部が、上記被照射体領域の上方に配されるように設けられており、上記導光部材は、屈曲する面に開口部を備えていることを特徴とする。
【００１８】
上記の構成により、導光部材から出射される光は、植物に対して多方向から照射される。また、導光部材は開口部を有しているため通気性が高い。
【００１９】
複数の導光部材を備えており、隣り合う少なくとも１組の上記導光部材が、互いに間隔を有して設けられていることにより、開口部を形成してもよい。
【００２０】
上記開口部の、大きさまたは被照射体に対する位置を変化させることができてもよい。
【００２１】
上記の構成により、開口部の、大きさまたは被照射体に対する位置を変化させることで、植物に対する直接作業時の作業性を向上させ、かつ、植物への直接作業が必要ないときには光照射の効率性を高めることができる。
【００２２】
少なくとも１つの上記導光部材の端部は、保持部材に摺動可能に接続されており、上記導光部材が、上記保持部材の延伸方向に移動することにより、上記開口部の大きさまたは被照射体に対する位置は可変であってもよい。
【００２３】
上記の構成により、複数の導光部材を用いた場合には、導光部材同士の間隔を変化させることで、開口部の大きさを変化させることができる。
【００２４】
また、１つの導光部材を用いた場合には、導光部材を保持部材の延伸方向に移動することにより、開口部の被照射体に対する位置を変化させることができる。
【００２５】
これにより、植物に対する直接作業時の作業性を向上させ、かつ、植物への直接作業が必要ないときには光照射の効率性を高めることができる。
【００２６】
上記導光部材の一方の端部が接続される第１の保持部材と、上記導光部材の他方の端部が接続される第２の保持部材と有しており、上記第１の保持部材と、上記第２の保持部材とは、上記被照射体領域に関して互いに反対側に設けられていてもよい。
【００２７】
上記の構成により、多数の導光部材を、畝形状を形成するように設けることができる。
【００２８】
上記導光部材の一方の端部は、上記第１の保持部材に着脱可能なように接続されており、上記導光部材の他方の端部は、上記第２の保持部材の延伸方向を軸として回転可能なように、上記第２の保持部材に接続されていてもよい。
【００２９】
上記の構成により、導光部材の上記他方の端部を、第２保持部材の延伸方向を軸として回転させることで、上記一方の端部を第１保持部材から取り外すことができる。これにより、開口部の大きさを変化させることができる。
【００３０】
上記導光部材の一方の端部は、上記第１の保持部材に第１接続部を介して接続されており、上記導光部材の他方の端部は、上記第２の保持部材に第２接続部を介して接続されており、上記導光部材は、上記第１接続部と上記第２接続部とを結ぶ直線を回転軸として回転可能に設けられていてもよい。
【００３１】
上記の構成により、導光部材を第１接続部と第２接続部とを結ぶ直線を回転軸として回転させることで、開口部の大きさを変化させることができる。
【００３２】
上記開口部の大きさは、上記導光部材の一方の端部に近いほど大きくてもよい。
【００３３】
上記の構成により、被照射体としての植物に対して光を照射する場合、植物の葉などが導光部材の上方に飛び出すことを抑制する。葉を導光部材の内部に留めておくことで、導光部材から出射される光を確実に照射し、光合成を促すことができる。
【００３４】
上記開口部の大きさは、上記導光部材の一方の端部に近いほど大きく、他方の端部に近いほど小さくてもよい。
【００３５】
上記の構成により、被照射体に対して直接触れて作業をする必要があるときは、導光部材の一方の端部付近から作業を行なうことで、作業性を向上させることができる。
【００３６】
また、導光部材の他方の端部付近では、開口部が小さいため、照明装置の外部に漏れる光の量を減らすことができる。さらに、葉などを導光部材の内部に留めておくことができる。
【００３７】
上記導光部材の有する面のうち、上記光出射面に対向する面には光を反射する反射部材が設けられていてもよい。
【００３８】
上記の構成により、導光部材の光出射面以外の面から出射する光の量を減らすことができる。これにより、少ない光源により効率的に被照射体に光を照射することができる。
【００３９】
上記反射部材は、上記開口部の一部に重なるように設けられていてもよい。
【００４０】
上記の構成により、照明装置の外部に漏れる光の量を減らすことができる。さらに、反射部材が開口部に重なるように設けられることで、被照射体としての植物の葉などを導光部材の内部に留めておくことができる。
【発明の効果】
【００４１】
本発明の照明装置は、以上のように、上記導光部材は、上記被照射体領域を形成するように屈曲した形状を有し、上記光出射面の少なくとも一部が、上記被照射体領域の上方に配されるように設けられており、上記導光部材は、開口部を備えているものである。
【００４２】
それゆえ、通気性と植物への光照射の効率性とを高めた照明装置を提供することができる。
【図面の簡単な説明】
【００４３】
【図１】本発明の一実施の形態の照明装置の概略図であり、（ａ）は照明装置の斜視図であり、（ｂ）は照明装置の正面図であり、（ｃ）は照明装置の側面図であり、（ｄ）は照明装置の平面図であり、（ｅ）は他の例の照明装置の斜視図である。
【図２】本発明の一実施の形態の照明装置における光の進路を示す概略図であり、（ａ）は照明装置の正面図であり、（ｂ）は照明装置の側面図である。
【図３】本発明の一実施の形態の照明装置の概略図であり、（ａ）は照明装置の正面図であり、（ｂ）は照明装置の側面図であり、（ｃ）は照明装置の平面図であり、（ｄ）導光板の端部の他の例であり、（ｅ）は導光板の端部のさらに他の例である。
【図４】本発明の一実施の形態の照明装置における光の進路を示す概略図である。
【図５】本発明の他の実施の形態の照明装置の概略図であり、（ａ）は照明装置の斜視図であり、（ｂ）は照明装置の正面図であり、（ｃ）は照明装置の側面図であり、（ｄ）は照明装置の平面図であり、（ｅ）は導光板の形状の他の例の平面図である。
【図６】本発明の他の実施の形態の照明装置の概略図であり、（ａ）は照明装置の正面図であり、（ｂ）は照明装置の側面図であり、（ｃ）は照明装置の平面図である。
【図７】本発明の他の実施の形態の照明装置の概略図であり、（ａ）は照明装置の導光板を着脱ガイドに取り付けた状態の正面図であり、（ｂ）は照明装置の導光板を着脱ガイドから取り外した状態の側面図である。
【図８】本発明の他の実施の形態の照明装置の正面図である。
【図９】本発明の他の実施の形態の照明装置の概略図であり、（ａ）は照明装置の側面図であり、（ｂ）は照明装置の正面図であり、（ｃ）は照明装置の平面図である。
【図１０】本発明の導光板の形状を示す図である。
【図１１】本発明の導光体の他の形状の例を示す図である。
【図１２】図１１（ｃ）に示す形状の導光板を用いた照明装置の平面図である。
【図１３】従来の植物育成棚の斜視図である。
【図１４】従来の植物育成設備の模式的構造図である。
【図１５】従来の導光機能付き観賞用カバーケースであり、（ａ）は導光機能付き観賞用カバーケース単体の斜視図であり、（ｂ）は内部にイチゴを配置したときの導光機能付き観賞用カバーケースの斜視図である。
【図１６】従来の植物育成用照明装置であり、（ａ）は上面図であり、（ｂ）は（ａ）のＡ−Ａ断面図である。
【図１７】従来の植物育成用照明装置である。
【発明を実施するための形態】
【００４４】
以下、本発明の実施の形態について、詳細に説明する。
【００４５】
〔実施の形態１〕
本発明の照明装置の一実施形態について、図１〜４に基づいて説明すれば、以下の通りである。
【００４６】
図１は、本発明の照明装置１００の概略図である。図１において、（ａ）は照明装置１００の斜視図であり、（ｂ）は照明装置１００の正面図であり、（ｃ）は照明装置１００の側面図であり、（ｄ）は照明装置１００の平面図であり、（ｅ）は他の例の照明装置１００の斜視図である。
【００４７】
本発明の照明装置１００は、プランター等に植えられた、被照射体としての植物等に光を照射するためのものである。図１および以下の図面では、植物としてイチゴ１を図示して説明する。
【００４８】
説明のため、イチゴ１は鉢に植えられたものを図示して説明するが、イチゴ１は地植えされたものであってもよい。
【００４９】
＜照明装置＞
図１（ａ）または図１（ｂ）に示すように、本発明の照明装置１００は、導光部材と、ＬＥＤ１０（光源）と、ガイド３０（第１・第２保持部材）とを備えている。
【００５０】
なお、図１（ａ）に示すように、導光板２０ａと、導光板２０ｂと、導光板２０ｃとで、１つの導光部材を形成している。
【００５１】
このように、本実施の形態の照明装置１００においては、導光板２０ａ〜２０ｃが互いに間隔を有して配置されることにより、導光部材は、開口部を有している。また、図示はしないが、導光部材（導光板）に穴を開け、上記穴を開口部としてもよい。
【００５２】
導光板２０ａ〜２０ｃは、屈曲した形状を有しており、導光部材により囲まれる領域を被照射体領域とする。図１（ａ）に示すように、被照射体領域には被照射体であるイチゴ１が配される。言い換えると、導光部材は、イチゴ１を囲うように配される。
【００５３】
そして、上記開口部は、導光部材の屈曲する面に設けられている。
【００５４】
２つのガイド３０は、イチゴ１および被照射体領域を挟むように設けられている。すなわち、２つのガイド３０は、被照射体領域に関して互いに反対側に設けられている。
【００５５】
＜ＬＥＤ＞
図１（ｃ）に示すように、ＬＥＤ１０は、後に詳述する導光板２０ａ〜２０ｃの長手方向における一方の端面と他方の端面とに設けられる。
【００５６】
ＬＥＤ１０から出射される光は導光板２０ａ〜２０ｃの内部に入光し、導光板の内部を導光され、最終的には導光板２０ａ〜２０ｃの光出射面２２から外部へ出射され、イチゴ１に照射される。
【００５７】
ＬＥＤ１０は、導光板２０ａ〜２０ｃの端面に設けられる以外に、ガイド３０上であって導光板が設置される予定の位置に設けられていてもよい。したがって、導光板の設置予定箇所の数を予め多めに設定しておき、必要な個所だけ導光板を設置（間引いて設置）し、植物への照射量を調節してもよい。すなわち、導光板の個数とＬＥＤの個数とは１：２である必要はない（図６（ａ）参照）。
【００５８】
ＬＥＤ１０の配線３０ｂは、ガイド３０に設けられた配線穴３０ａを介して図示しないＬＥＤ制御部へ接続されている。ＬＥＤ制御部により、ＬＥＤ１０の点灯／消灯が制御され、光量が制御される。
【００５９】
なお、本発明の照明装置１００は光源としてＬＥＤ１０を用いているが、ＬＥＤ１０の代わりにＣＣＦＬを用いてもよい。ＣＣＦＬを用いる場合には、導光板２０ａ〜２０ｃの端面に沿って配置する。
【００６０】
＜導光板＞
本発明の導光板２０ａ〜２０ｃは、短冊状に細くしたトンネル（蒲鉾）型の形状を有しており、図１（ａ）および図１（ｃ）に示すように内部が空洞２５になっている。すなわち、照明装置１００は図中Ｄ３の方向に開口している。
【００６１】
導光板２０ａ〜２０ｃは、例えば、ＰＭＭＡ（メタクリル酸メチル樹脂）等の（メタ）アクリル系樹脂、ゼオノア（登録商標、日本ゼオン株式会社製）等のＣＯＰ（シクロオレフィンポリマー）、ＣＯＣ（シクロオレフィンコポリマー）、ポリカーボネート等の透明樹脂で形成することができる。
【００６２】
図１（ｃ）に示すように、導光板２０ａ〜２０ｃは、イチゴ１を覆うように配置されている。言い換えると、導光板２０ａ〜２０ｃは、イチゴ１の全体を導光板２０ａ〜２０ｃで形成される空間（被照射体領域）の内部の空洞２５に留めておくように設けられる。被照射体領域を挟むように一対のガイド３０が設けられており、導光板２０ａ〜２０ｃの両端部はそれぞれガイド３０に固定されている。
【００６３】
図１では、説明の簡略化のために、１つのイチゴ１に対して３個の導光板２０ａ〜２０ｃを配置する場合を例示するが、照明装置１００を通常の植物工場などで用いる場合には、被照射体は列を成して複数個設けられ、導光板もより多く用いられる。例えば図１（ｅ）に示すように、多数の導光板２０ａ〜２０ｈを、畝形状を形成するように設けることができ、多数の被照射体に対して効率的に光を照射することができる。
【００６４】
一方で、上述した特許文献４に記載される図１７の植物育成用照明装置は、植物体（被照射体）毎に半閉鎖空間を形成するものであり、図１（ｅ）に示すような畝形状を形成することができず、光照射の効率性が低い。
【００６５】
導光板２０ａ〜２０ｃが有する面のうち、イチゴ１と対向する面を光出射面２２とし、光出射面２２と対向する面を外側の面とする。導光板２０ａ〜２０ｃの外側の面は、液晶テレビのバックライトの導光板で使用されているシルク印刷やシボ加工処理が施されている。これにより、導光板２０ａ〜２０ｃの内部を光が導波すると同時に光出射面２２からも照射光が出射される。また、シルク印刷やシボ加工の設計によって光出射面２２から出射される光の量を調節することができ、イチゴ１への照射光量を調整することができる。
【００６６】
図１（ｂ）に示すように、本発明の照明装置１００の導光板２０ａ〜２０ｃは、隣り合う１組の導光板の間に所定の間隔を設けて配置される。これにより、導光部材は、各導光板の間に開口部を形成する。
【００６７】
上記間隔は、数ｃｍ〜２０ｃｍ程度であることが好ましい。これにより、作業者が導光板同士の隙間に指を入れることができ、イチゴ１に直接的または間接的に触れることができる。
【００６８】
また、全ての導光板が隣り合う導光板との間に均一の間隔を設けて配置されている必要はなく、間隔は広いものや狭いものがあってもよい。導光板の間隔（隙間）は、被照射体である植物の種類等に応じて適宜設定される。また、導光板２０ａ〜２０ｃの幅も、植物の種類等に応じて適宜設定される。
【００６９】
導光板が、隣り合う導光板との間に間隔を有して設けられていることで、作業者は導光板２０ａ〜２０ｃの隙間からイチゴ１に触れることができる。これにより、導光板２０ａ〜２０ｃに覆われているイチゴ１に対して、直接作業を容易に行なうことができる。ここでいう直接作業とは、イチゴ１への接触を伴う作業であり、例えば、果実の収穫や、花の受粉作業などを意味する。受粉作業時には、作業に必要なイチゴ１の花の部分を導光板２０ａ〜２０ｃの隙間から照明装置１００の外部に出し、受粉させることができる。
【００７０】
また、イチゴ１のうち、光を照射する必要がない部分は、導光板２０ａ〜２０ｃの外部に出すようにしてもよい。イチゴ１の葉は、光合成をするために光の照射が必要であり、被照射体領域に留めておく必要があるが、花や果実部分など光の照射量が少なくてもよい部分を導光板２０ａ〜２０ｃの外部（被照射体領域の外部）に出すことで、当該部分は照明装置１００が有する熱にさらされることがなくなる。
【００７１】
本発明の照明装置１００は、導光部材の開口部の大きさ、またはイチゴ１に対する導光部材の開口部の位置を変化させることができるものである。イチゴ１へ直接作業が必要なときには、開口部を、作業に適した大きさまたは位置となるようにする。また、作業が必要ないときには、開口部を、植物に対してより効率的に光を照射することができるような大きさまたは位置となるようにする。
【００７２】
これにより、植物への作業性と光照射の効率性とを高めることができる。
【００７３】
また、照明装置１００は、図１（ａ）中のＤ１またはＤ３の方向に開口している。さらに、導光部材は、屈曲する面に開口部を備えているため、照明装置１００は、図１（ａ）中のＤ２またはＤ４の方向にも開口している。
【００７４】
そのため、照明装置１００は、図１（ａ）中に示すＤ１、Ｄ２、Ｄ３、およびＤ４の方向に通気することができ、通気性に優れ、被照射体に対して多方向から光を照射することができる。
【００７５】
なお、開口部の位置または大きさを変化させる方法の具体例については後述する。
【００７６】
＜導光＞
本発明の照明装置１００のＬＥＤ１０から発せられる光の進路について、図２を参照して説明する。
【００７７】
図２は、実施の形態１の照明装置１００における光の進路を示す概略図である。図２において、（ａ）は照明装置１００の正面図であり、（ｂ）は照明装置１００の側面図である。なお、図２の例では、ＬＥＤ１０は、導光板２０ａ〜２０ｃに埋め込まれている。
【００７８】
図２（ｂ）に示すように、ＬＥＤ１０から出射される光は、導光板を伝搬して光出射面２２から出射し、イチゴ１全体に効率よく照射される。すなわち、イチゴ１から見て上方、側方、下方等など様々な方向から光を照射することができる。また、ＬＥＤ１０からイチゴ１までの距離が短いため、ＬＥＤ１０の数を削減することができる。
【００７９】
従来の照明装置は、植物に対して様々な方向から光を照射することができる構成とすると、植物への直接作業の妨げとなる。
【００８０】
本発明の照明装置１００によれば、被照射体である植物に対して多方向から光を照射することができる。さらに、導光板が互いに間隔を有して設けられていることで、作業者は照明装置１００の外部から植物に触れることができ、植物に対する直接作業の妨げにならない。そのため、例えば作業時に導光板をガイド３０から取り外すことを要しない。
【００８１】
このように、本発明の照明装置１００は、被照射体である植物に対して効率良く光を照射し、かつ、植物に対する作業性も確保することができる。
【００８２】
また、導光板２０ａ〜２０ｃによってイチゴ１を完全に密閉空間に置くことにはならないので、照明装置１００の内部の温度が過度に上昇することを防止することができる。
【００８３】
＜レール＞
導光部材の開口部の大きさまたは位置を変化させる方法について、図３〜図４に基づいて説明する。
【００８４】
図３は、照明装置２００の概略図である。図３において、（ａ）は照明装置２００の正面図であり、（ｂ）は照明装置２００の側面図であり、（ｃ）は照明装置２００の平面図であり、（ｄ）は（ｂ）のＡ部の他の例であり、（ｅ）は（ｂ）のＡ部のさらに他の例である。
【００８５】
図３（ｂ）に示すように、本実施の形態の照明装置２００は、レール３１（第１・第２保持部材）を備えている。また、照明装置２００は、導光板２０ａ〜２０ｃの外側の面に反射シート４０（反射部材）を備えている。
【００８６】
レール３１は摺動部を有しており、導光板２０ａ〜２０ｃの端部はレール３１を摺動可能なように接続されている。これにより、導光板２０ａ〜２０ｃを支持しつつ導光板２０ａ〜２０ｃが、レール３１の延伸方向に沿った方向に移動することができる。すなわち、本実施の形態の導光板２０ａ〜２０ｃは、可動式である。導光板２０ａ〜２０ｃは、それぞれ独立して、レール３１の延伸方向に沿った方向に移動することができる。
【００８７】
レール３１は、例えばカーテンのレールを逆さまに配置したように、導光板２０ａ〜２０ｃを支持し、可動させるものであればどのような構造のものであってもよい。
【００８８】
導光板２０ａ〜２０ｃをレール３１に沿って移動させることで、隣り合う導光板同士の間隔（開口部）の広さ、またはイチゴ１に対する位置は可変であり、図３（ａ）に示すように、例えば、作業に応じて導光板２０ａと導光板２０ｂとの間の隙間を大きくすることができる。
【００８９】
このように、本実施の形態の照明装置２００は、必要に応じて導光板２０ａ〜２０ｃをレール３１の延伸方向に沿った方向に移動することができる。導光板２０ａ〜２０ｃを移動させることで、導光板の間に形成された開口部の、大きさまたはイチゴ１に対する位置を変化させることができる。これにより、作業時には作業性を向上させ、非作業時には、より多くの光量の光をイチゴ１に照射し、また、外部に漏れる光の量を減らすことができる。
【００９０】
なお、図３（ｂ）に示す例では、ＬＥＤ１０の配線３０ｂは、レールに設けられた配線穴３０ａを介して図示しないＬＥＤ制御部に接続されている。
【００９１】
ＬＥＤ１０および配線の配置はこれに限らず、図３（ｄ）に示すように、ＬＥＤ１０を導光板の内部に埋め込んでもよい。また、図３（ｅ）に示すように、ＬＥＤ１０をレール３１に埋め込んでもよい。
【００９２】
好ましくは、図３（ｂ）、図３（ｄ）に示すように、ＬＥＤ１０と導光板２０の間に隙間が生じないように配置することが好ましい。これにより、光の結合効率の低下を抑制することができる。
【００９３】
＜反射シート＞
反射シート４０は、従来から一般的に用いられているものを適用することができる。これにより、導光板２０ａ〜２０ｃに伝搬した光が、導光板２０ａ〜２０ｃの外側の面から出射することを抑制する。さらに、被照射体であるイチゴ１の下に反射シートを設けてもよい。なお、導光板２０ａ〜２０ｃの外側の面のうち、反射シート４０を設ける部分の面積は特に限定されない。
【００９４】
図４は、本実施の形態の照明装置２００における光の進路を示す概略図である。照明装置２００の導光板２０ａ〜２０ｃの外側の面に反射シート４０を設けることで、導光板２０ａ〜２０ｃの内部の光が、導光されている間に導光板２０ａ〜２０ｃの外側の面から外部に漏れることを抑制する。反射シート４０としては、光を反射する素材からなるものであれば特に限定されるものではなく、その形状は、シート状、プレート状またはフィルム状などであってもよい。
【００９５】
〔実施の形態２〕
本発明の照明装置の他の実施形態について、図５に基づいて説明すれば、以下のとおりである。なお、説明の便宜上、実施の形態１および実施の形態１にて説明した図面と同じ機能を有する部材については、同じ符号を付記し、その説明を省略する。
【００９６】
図５は、本発明の照明装置３００の概略図である。図５において、（ａ）は照明装置３００の斜視図であり、（ｂ）は照明装置３００の正面図であり、（ｃ）は照明装置３００の側面図であり、（ｄ）は照明装置３００の平面図であり、（ｅ）は照明装置３００の導光板の形状の他の例の平面図である。
【００９７】
本実施の形態の照明装置３００は、導光板２０ａ〜２０ｃの外側の面に反射シート４１が設けられている。さらに、反射シート４１は、隣り合う導光板の間の領域のうちの一部の領域にも設けられている。すなわち、導光部材の開口部の一部に重なるように設けられている。
【００９８】
これにより、イチゴ１の葉などが照明装置３００の外部に飛び出すことを抑制する。すなわち、反射シート４１により、照明装置３００の外部に出ようとする葉が押えられ、葉を導光板２０ａ〜２０ｃが形成する被照射体領域に留めることができる。
【００９９】
植物の葉は、光合成をするために光を必要とする。照明装置３００の反射シート４１により、葉を被照射体領域に留めておくことで（閉じ込めておくことで）、葉に対して確実に光を照射することができる。
【０１００】
反射シート４１は一体型で形成したものでもよいし、また、実施の形態１で用いた反射シート４０の上にさらに反射シートを重ねて形成してもよい。
【０１０１】
上述のように、本実施の形態の反射シート４１は、導光板同士の隙間のうちの一部の領域においては、導光板に跨って設けられている。導光板同士の隙間のうちの、反射シート４１が跨って設けられている領域は、イチゴ１の上方であることが好ましい。
【０１０２】
これにより、イチゴ１の葉をより確実に被照射体領域に留めておくことができ、さらに、導光板同士の隙間からイチゴ１への直接作業を行うことができる。
【０１０３】
また、図５（ｅ）に示すように、導光板の形状を、平面図において反射シート４１と同じ形状とし、１つの導光板２０ｄの外側の面に反射シート４１を設けてもよい。
【０１０４】
〔実施の形態３〕
本発明の照明装置の他の実施形態について、図６〜７に基づいて説明すれば、以下のとおりである。なお、説明の便宜上、実施の形態１〜２にて説明した図面と同じ機能を有する部材については、同じ符号を付記し、その説明を省略する。
【０１０５】
本発明の照明装置の導光板は、ガイドから容易に取り外すことができるものである。導光板がガイドから着脱可能であれば、導光板を外すことで植物への直接作業を可能にし、非作業時に導光板をガイドに取り付けることで、植物にＬＥＤからの光を照射することができる。
【０１０６】
このような着脱式の導光板を用いる場合の具体例について、以下に説明する。
【０１０７】
＜滑車式＞
図６は、本実施の形態の照明装置４００の概略図である。図６において、（ａ）は照明装置４００の正面図であり、（ｂ）は照明装置４００の側面図であり、（ｃ）は照明装置４００の平面図である。
【０１０８】
図６（ｂ）に示すように、照明装置４００は着脱ガイド３２（第１・第２保持部材）を備えている。着脱ガイド３２は、容易に導光板２０ａ〜２０ｃの着脱を可能とするものである。
【０１０９】
また、図６（ａ）に示すように、照明装置４００の導光板２０ａ〜２０ｃは、取付部５２を介して紐５１と接続されている。また、導光板２０ａ〜２０ｃの上方には滑車５０が設けられている。図６（ｂ）に示すように、滑車５０を介して紐５１を水平方向に引くことで、導光板２０ａ〜２０ｃが着脱ガイド３２から外れるようになっている。
【０１１０】
これにより、導光板２０ａ〜２０ｃが上方に移動することで導光部材の開口部が上方に移動し、照明装置４００の開口部は大きくなり、イチゴ１への直接作業を容易にすることができる。
【０１１１】
なお、図６に示す照明装置４００においては、複数個あるＬＥＤ１０のうち一部のＬＥＤ１０は、導光板２０ａ〜２０ｃの端面に対応する位置に設けられていない。導光板の端面に対応する位置に設けられていないＬＥＤ１０から出射される光は導光板を伝搬しないが、イチゴ１に直接照射される。そのため、導光板に接することなく設けられたＬＥＤ１０であっても、イチゴ１への光の照射に寄与する。なお、導光板の端面に対応する位置に設けられていないＬＥＤ１０は消灯してもよい。
【０１１２】
＜ヒンジ式＞
図７は、本実施の形態の照明装置５００の概略図である。（ａ）は照明装置５００の導光板を着脱ガイドに取り付けた状態の正面図であり、（ｂ）は照明装置５００の導光板を着脱ガイドから取り外した状態の側面図である。
【０１１３】
図７（ａ）に示すように、照明装置５００の導光板２０ｃの一方の端部は着脱ガイド３２（第１保持部材）に接続され、他方の端部はヒンジガイド３３（第２保持部材）に接続されている。
【０１１４】
図７（ｂ）に示すように、導光板２０ｃは、ヒンジガイド３３の延伸方向を回転軸として、ヒンジガイド３３の周りに回転可能である。導光板２０ｃをヒンジガイド３３の周りに回転させ、導光体の端部を着脱ガイド３２から取り外すことで、イチゴ１を覆うように配されていた導光板２０ｃが除去され、導光部材の開口部の位置が変化する。これにより、照明装置５００は開口部を有することとなり、イチゴ１への直接作業を容易にすることができる。
【０１１５】
〔実施の形態４〕
本発明の照明装置の他の実施形態について、図８に基づいて説明すれば、以下のとおりである。なお、説明の便宜上、実施の形態１〜３にて説明した図面と同じ機能を有する部材については、同じ符号を付記し、その説明を省略する。
【０１１６】
図８は、本実施の形態の照明装置６００の正面図である。照明装置６００の導光板２０ａ〜２０ｄは、接続部３５（第１接続部・第２接続部）を介してガイド３４に接続されている。導光板２０ａ〜２０ｄは、２つの接続部３５を結ぶ直線を回転軸として回転することができる。
【０１１７】
例えば、導光板の端部に穴が設けられており、導光板を、当該穴の直径よりも小さい直径を有する接続部３５を介してガイド３４に取り付けることができる。
【０１１８】
導光板２０ａ〜２０ｄを、２つの接続部３５を結ぶ直線を回転軸として回転させ、傾けることで、導光板同士の間隔（開口部）の大きさを変化させることができる。
【０１１９】
イチゴ１への直接作業が必要なときには、導光板同士の間隔を大きくすることで、作業を容易にすることができる。
【０１２０】
〔実施の形態５〕
本発明の照明装置１００・２００・３００・４００・５００・６００において、導光板としては、様々な形状のものを用いることができる。以下、導光板の形状の他の例について説明する。
【０１２１】
図９は、本発明の他の実施の形態の照明装置６０１の概略図である。図９において、（ａ）は照明装置６０１の側面図であり、（ｂ）は照明装置６０１の正面図であり、（ｃ）は照明装置６０１の平面図である。
【０１２２】
本実施の形態の照明装置６０１の導光板２１ａ〜２１ｃは、端部に近いほど幅が小さく、端部から遠いほど幅が大きい形状を有している。これにより、導光部材の開口部は、導光部材の端部に近いほど大きく、端部から遠いほど小さく大きくなる。
【０１２３】
すなわち、イチゴ１を覆うように配された状態において、上にいくに従って幅方向の厚みが増している形状である。
【０１２４】
これにより、導光板同士の隙間（開口部）は頂点付近である上側ほど狭くなり、イチゴ１の葉など、光の照射が必要な部分を導光板の内部である被照射体領域に留めておくことが可能となる。すなわち、葉などが、上方や斜め上方に、導光板２１ａ〜２１ｃから飛び出さないようにすることができる。
【０１２５】
一方で、導光板の下側においては、導光板同士の隙間は広いため、作業者がイチゴ１に対する直接作業を行うことができる。
【０１２６】
図１０に示すように、本発明における導光板は、平板形状の導光板を丸め、アーチ状に形成することで得られる。なお、本発明の導光板は、このようなアーチ状（蒲鉾型、トンネル型）のものに限定されず、被照射体領域を形成することのできる形状であればよく、例えばＶ字型のものなどを用いることができる。
【０１２７】
導光板は、アーチ状に形成する前の形状が図１１に示すようなものを用いることができる。すなわち、図１１に示すように楕円形状のものや、台形形状のものを用いることができる。
【０１２８】
図１２は、図１１（ｃ）に示す形状の導光板を用いた照明装置６０２の平面図である。このように、導光板２３ａ〜２３ｃの一方の端部付近では、導光板同士の隙間が狭く、他方の端部付近では導光板同士の隙間が広くてもよい。これにより、導光部材の開口部は、導光部材の一方の端部に近いほど大きく、他方の端部に近いほど小さくなる。
【０１２９】
これにより、導光板同士の隙間（開口部）が広い方の端部付近から、イチゴ１に触れることができ、作業者はこの位置から作業を行なうことができる。
【０１３０】
なお、本発明における導光板は被照射体領域を形成することができればよく、図示したようなトンネル形状を有するものに限定されず、Ｖ字形状を有するものや、矩形形状を有するものであってもよい。
【０１３１】
また、請求項の記載における「導光部材」とは、１つの導光体を屈曲させることによりＶ字形状や矩形形状にしたものだけでなく、複数の直線形状の導光体を接続することで全体としてＶ字形状や矩形形状などの屈曲形状を形成するものであってもよい。
【０１３２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３３】
本発明は、主に植物に対して光を照射する照明装置に利用することができる。
【符号の説明】
【０１３４】
１                  イチゴ（被照射体）
１０                ＬＥＤ（光源）
２０ａ〜２０ｃ      導光板
２２                光出射面
２３ａ〜２３ｃ      導光板
３０                ガイド（第１・第２の保持部材）
３１                レール（第１・第２の保持部材）
３２                着脱ガイド（第１・第２の保持部材）
３３                ヒンジガイド（第２の保持部材）
３４                ガイド（第１・第２の保持部材）
３５                接続部（第１・第２接続部）
４０，４１          反射シート
１００，２００，３００，４００，５００，６００，６０１，６０２  照明装置
【図１】
0005936927.tif 000002
【図２】
0005936927.tif 000003
【図３】
0005936927.tif 000004
【図４】
0005936927.tif 000005
【図５】
0005936927.tif 000006
【図６】
0005936927.tif 000007
【図７】
0005936927.tif 000008
【図８】
0005936927.tif 000009
【図９】
0005936927.tif 000010
【図１０】
0005936927.tif 000011
【図１１】
0005936927.tif 000012
【図１２】
0005936927.tif 000013
【図１３】
0005936927.tif 000014
【図１４】
0005936927.tif 000015
【図１５】
0005936927.tif 000016
【図１６】
0005936927.tif 000017
【図１７】
0005936927.tif 000018